(57)【特許請求の範囲】
【請求項１】
ランプの発光部を器具本体の枠体へ挿入し、前記ランプの電極部と前記器具本体の給電部とが通電する位置で前記ランプの装着部を前記器具本体の支持部に保持させて装着してなる抜差交換型照明装置において、ランプの装着部は一方向に付勢した解除部と、装着部表面から出没する係合突起とから、器具本体の支持部は前記係合突起を嵌入する係合溝からなり、解除部は付勢方向に待避防止部と待避可能部とを有し、該解除部が付勢方向に移動すると待避防止部が係合突起を規制し、突出状態に維持された前記係合突起が係合溝に嵌入し、装着部を保持させ、該解除部が付勢方向とは逆方向に移動すると待避可能部が係合突起の引き込みを許し、自由状態の前記係合突起が係合溝から外れ、装着部を離脱させることを特徴とする抜差交換型照明装置。
【発明の詳細な説明】
【０００１】
【発明の属する技術分野】
本発明は、片手交換や機械交換が容易なランプを用いた照明装置に関する。
【０００２】
【従来の技術】
従来の照明装置は、(1)ランプは直管状発光部の一端側に正及び負電極を備えた電極部を設け、電極部を器具本体の給電部に螺合又は嵌入し、給電部により片持支持されるナトリウム灯や白熱球等、(2)ランプは直管状発光部の両端側に正及び負電極を分けて一対の電極部を設け、電極部を器具本体の一対の給電部に嵌入し、両給電部により挟持される直管状蛍光灯等、そして(3)ランプは円環状発光部の一部に正及び負電極を備えた電極部を設け、電極部とは無関係な器具本体の支持部により発光部を保持させ、別途電極部に給電部を接続する円環状蛍光灯等、に大別される。いずれも、ランプの交換作業には両手の使用が求められ、複雑な交換作業は機械による自動化を難しくしていた。
【０００３】
こうした現状に対し、特開平06-076901号「照明器具」では、セード(発光部及び電極部を保護する器具本体の枠体)を取外すことなく、ランプを簡単に交換できる照明器具の提供を目的として、器具本体にランプ挿入孔を設け、このランプ挿入孔の対向位置には固定側給電部を、前記ランプ挿入孔にはランプ交換用給電部をそれぞれ割り当て、前記ランプ交換用給電部に係止手段(止め具)を設けた照明装置を提案している。
【０００４】
また、特開平11-153973号「照明装置」には、箱体(発光部及び電極部を保護する器具本体の枠体)内に反射体と共に配設した蛍光ランプの交換作業の簡易化を可能とした照明装置として、蛍光ランプとスライド用枠部材とで可動ユニットを構成し、箱体側には固定したスライド用枠部材を組み付けて、前記箱体に対して可動ユニット毎に抜差可能にした構成を提案している。
【０００５】
【発明が解決しようとする課題】
上記従来技術(特開平06-076901号及び特開平11-153973号)から、ランプ交換を容易にするため、照明装置に対してランプを側方、少なくとも一方向から抜差可能にする基本的な解決手段が明らかになっていることが分かる。しかし、これらは既存の蛍光灯を前提とした構成であるから、給電部と蛍光灯の電極部との接触を確保するための構造的制約を受けやすい。この通電確保の観点から、ランプとしての構造的検討が不十分である。例えば、直管状蛍光灯以外のランプには直接的に上記従来技術を適用できない。
【０００６】
また、上述のランプは、単に抜差態様で交換を容易にすることのみに着目しており、例えば人手による場合、必ずしも片手で交換作業できるものではなく、機械による交換作業を実現しようとする場合、複雑な専用装置を要求することにもなりかねなかった。すなわち、交換作業の観点からもランプとしての構造的検討が不十分であった。そこで、交換作業を容易にするため、簡易な人手又は機械による交換作業を実現することを目的に、新たな照明装置を検討した。
【０００７】
【課題を解決するための手段】
検討の結果開発したものが、器具本体にランプを抜差交換する照明装置であって、ランプは発光する発光部、発光部へ給電する電極を有する電極部、発光部又は電極部へ付設する装着部、及び発光部、電極部又は装着部へ付設する把持部から、器具本体は前記ランプの発光部を覆う枠体、前記ランプの電極部に給電する給電部、前記ランプの装着部を保持してランプを支持する支持部からなり、ランプの把持部を掴み、発光部を枠体へ挿入し、電極部と給電部とが通電する位置で装着部を支持部に保持させて、器具本体にランプを装着してなる抜差交換型照明装置である。
【０００８】
本発明の抜差交換型照明装置の特徴は、抜差交換を容易にする装着部と、人の手又は機械で掴むことができる把持部をランプに設けた点にある。ランプの装着部は発光部又は電極部へ着脱自在に付設する別体仕様でもよいし、同様に、ランプの把持部は装着部、発光部又は電極部へ着脱自在に付設する別体仕様であってもよい。本発明の照明装置では、本発明に即した専用のランプ及び器具本体の組合せが好ましいが、器具本体は専用に構成しながら、前記のような別仕様の装着部又は把持部をアダプタとして従来のランプに用いることにより、本発明の効果を享受できる。
【０００９】
ランプの装着部は、対応する器具本体の支持部との関係で、様々な構造又は構成が考えられうる。最も簡素には、(a)ランプの装着部は電極部を兼ね、器具本体の給電部は支持部を兼ねており、装着部を嵌入した支持部により電極部と給電部とを通電させ、かつこの装着部を保持させる構成がある。前記(a)構成は、器具本体に対するランプの着脱が本当に抜差だけになるので、特に機械交換が容易になる利点がある。
【００１０】
また、(b)ランプの装着部は表面に刻設したネジ部で、器具本体の支持部はネジ受部であり、ネジ部をネジ受部に螺合して装着部を保持させる構成も、簡易である。前記(a)構成よりは支持部による装着部の保持安定性に優れている。螺合による支持部による装着部の保持は気密性が高く、いわゆる防爆形照明装置となり、このほか発光部の耐食性、耐水性を高める利点もある。
【００１１】
支持部による装着部の保持安定性を確保しながら、機械交換を容易にする構成としては、(c)ランプの装着部は表面から突出する係止突起で、器具本体の支持部は前記係止突起が移動自在な係止溝とこの係止溝に部分的に開口した挿入溝とからなり、挿入溝から係止突起を挿入し、この係止突起を挿入溝から係止突起をずらして係止溝に係合して装着部を保持させるとよい。例えば装着部が円筒状である場合、支持部は装着部を挿入できる円筒状開口で、装着部表面から突出した係止突起に対応した円周方向の係止溝を設け、装着部挿入方向に係止溝へ至る挿入溝を設ける。係止突起を挿入溝から係止溝へ挿入後、装着部を円周方向に回転させれば、係止突起が係止溝に係合し、支持部による装着部の保持が実現できる。
【００１２】
装着部を介したランプの保持機構を別途付加することも考えられる。ランプに前記保持機構を付加した場合、(d)ランプの装着部は一方向に付勢した解除部と、装着部表面から出没する係合突起とから、器具本体の支持部は前記係合突起を嵌入する係合溝からなり、解除部は付勢方向に待避防止部と待避可能部とを有し、この解除部が付勢方向に移動すると待避防止部が係合突起を規制し、突出状態に維持された前記係合突起が係合溝に嵌入し、装着部を保持させ、この解除部が付勢方向とは逆方向に移動すると待避可能部が係合突起の引き込みを許し、自由状態の前記係合突起が係合溝から外れ、装着部を離脱する構成を挙げることができる。
【００１３】
支持部による装着部の保持安定性は、ランプ装着後に特定作業を経なければランプが器具本体から離脱しないことと見ることもできる。この場合、ランプ側又は器具本体側に出没自在な突起を設け、ランプ装着後、前記突起が働かないようにする構成が容易である。上記(d)構成は、ランプ側に前記突起を設けた構成である。解除部は、器具本体に対するランプの抜差方向に付勢方向、好ましくはランプの抜き方向に定めておくとよい。ランプを器具本体に差込む際に、ランプを差込む手又は機械により解除部を押せば、差込及び係合突起の引き込みを許し、支持部の係合溝への係合突起の進入を同時に実施できる。また、ランプの抜き方向に解除部を引っ張っても、係合突起の係合溝への係合は解除されないので、保持安定性が確保できる。
【００１４】
逆に器具本体に保持機構を付加した場合、(e)ランプの装着部は係合溝から、器具本体の支持部は一方向に付勢した解除部と支持部表面から出没する係合突起とからなり、解除部は付勢方向に待避防止部と待避可能部とを有し、この解除部が付勢方向に移動すると待避防止部が係合突起を規制し、突出状態に維持された前記係合突起が係合溝に嵌入し、装着部を保持させ、この解除部が付勢方向とは逆方向に移動すると待避可能部が係合突起の引き込みを許し、自由状態の前記係合突起が係合溝から外れ、装着部を離脱する構成を例示できる。この(e)構成における解除部の付勢方向も、上記同様に、器具本体に対するランプの抜き方向に定めておくとよい。
【００１５】
把持部は、原則交換作業にのみ関係するので、器具本体との関係により構成に制約が加わる装着部よりは自由な構成を選択することができる。人の手用把持部としては、単なるレバーや把手を例示できる。また、機械用把持部としては、ツール交換装置(ATC)に見られるツールホルダのチャック対応構造等を例示できる。すなわち、ランプをツール交換装置におけるツールとみなし、機械による自動交換作業を実現する。この場合、交換作業の装置は、ツール交換装置と同様の構成を利用でき、また交換前又は前後のランプは、ツールストッカ用のバッファ装置と同様な保管庫等に収納、保管できる利点がある。
【００１６】
照明装置としての具体的構成は、ランプの種類に従って示せば、次のようになる。まず、(A)ランプは直管状発光部の一端側に正及び負電極を備えた電極部及び装着部を設け、該電極部に続いて把持部を突出して設け、器具本体は枠体の一部に前記ランプの発光部が挿通する挿入孔を開口し、該挿入孔前後に給電部及び支持部を設けた抜差交換型照明装置を示すことができる。電極部、装着部及び把持部が一端側に集約されている。器具本体内へ差込むことになる発光部、電極部は挿入孔以下の大きさとする。
【００１７】
ここで、器具本体の枠体は装着後のランプを囲むシェードであり、埃や汚れから発光部を保護することが主たる目的であるため、必ずしも発光部を囲む必要はない。通常、屋外仕様では透光性のある素材で発光部を囲む枠体とし、屋内仕様では下面側を開放する枠体を用いる例が多い。給電部は、装着後のランプにおける電極部に電気的に接触できれば形状は問わない。ランプは、装着部が支持部により支持されるため、仮に給電部が電極部を支持する場合は副次的な支持となる。このように、器具本体の支持部がランプの装着部を支持するが、このほか発光部、把持部又は電極部のいずれか又は複数を補助支持部で支持してもよい。
【００１８】
また、(B)ランプは直管状発光部の両端側に正及び負電極を分けて一対の電極部及び装着部を設け、該電極部の一方又は双方から把持部を突出して設け、器具本体は枠体の一部に前記ランプの発光部が挿通する挿入孔を開口し、該挿入孔前後に一方の給電部及び支持部を、挿入孔対面位置に他方の給電部及び支持部を設けた構成でもよい。電極部双方から把持部を突出して構成したランプでは、器具本体の枠体に対面位置関係で挿入孔、支持部及び給電部を配しておけば、両挿入孔のどちらからでもランプを抜差できる利点がある。
【００１９】
更に、(C)ランプは円環状発光部の一部に正及び負電極を備えた電極部、装着部及び把持部を一体又は別体に設け、器具本体は枠体の一部に前記発光部が挿通する挿入孔を開口し、該挿入孔前後に給電部及び支持部を設けた構成も考えられる。挿入孔は、発光部外径に従って枠体に設け、ランプ装着後には把持部の突出のみを許す蓋で塞ぐとよい。
【００２０】
【発明の実施の形態】
以下、本発明の実施形態について図を参照しながら説明する。図１は本発明に基づく例であるナトリウム灯(ランプ)１の差込方向から見た斜視図、図２は同ナトリウム灯１の引抜方向から見た斜視図、図３は同ナトリウム灯１を用いた照明装置の部分破断分解斜視図、図４はナトリウム灯１を装着した状態を表した照明装置の断面図である。本例は、例えば高速道路等のトンネル内の照明を担うナトリウム灯１の照明装置であり、チャックを備えた専用交換装置による自動交換を可能にしたものである。
【００２１】
本例のナトリウム灯１は、図１及び図２に見られるように、片支持構造の発光部２の基部側に続けて、環状の金属リングからなる正及び負電極３,４を備えた電極部５、電極部５に連続する装着部６、そして装着部６からフランジ７を挟んで連続するチャック対応構造の把持部８からなる。交換作業は、専用交換装置(図示略)を用い、前記把持部８の円環溝９へ側方からチャックを差込んで保持し、器具本体10の枠体11側面に設けた挿入孔12を通して抜差しする態様で実施する。ナトリウム灯１装着後の器具本体10内の気密性は、装着部６に嵌めたシールリング30(図１参照)を器具本体10の枠体11側面に押し当てることで確保する(図４参照)。
【００２２】
電極部５の正及び負電極３,４を円環状に形成するのは、ナトリウム灯１が軸線中心に回転(ローリング)しても、必ず給電部13の給電端子14,15との電気的な接触が得られるようにするためである。また、本例の正及び負電極３,４は、表面が電極部５外面より若干凹んでおり、嵌まり込んだ給電端子14,15により、器具本体10へ装着したナトリウム灯１の位置ずれを防止する。発光部２は、電極部５から延びるガラスケース16内にフィラメント17を内蔵した構成であり、基本的なランプ構造は従来製品と変わりはない。
【００２３】
器具本体10は、図３に見られるように、光透過性のある下面板(シェード)18を嵌め込んだ枠体11側面に挿入孔12を開口し、この挿入孔12内面に支持部19及び給電部13を設けている。挿入孔12対面には、ナトリウム灯１の発光部２先端を受け止める補助支持部20を設けている。給電部13を構成する給電端子14,15は上下一対に配し、バネ21で互いに接近方向に付勢した金属片22,22からなる。この給電端子14,15は、ナトリウム灯１を挿入孔12に差込むと、図４に見られるように、初めは電極部５外面に押されて引っ込むが、電極部５の正及び負電極３,４が至ると突出して電極部５を挟持する。また、電極部５に連続する装着部６を支持部19へ密に差込み、発光部２を保持してもよい。本例では、電気的接触を要する電極部５及び給電部13は必ず機械的接触を伴うことから、前記機械的接触を利用して発光部２を支持している。
【００２４】
上述の例からも明らかなように、本発明の照明装置では、ナトリウム灯１の支持態様が様々考えられる。図５は装着部６がネジ部23になっているナトリウム灯１を装着した状態を表した照明装置の図４相当断面図、図６は装着部６が表面から突出する係止突起24,24からなるナトリウム灯１を装着した状態を表した照明装置の図４相当断面図、図７は引抜き方向から係止突起24及び係止溝25の関係を表した背面図、図８は装着部６が一方向に付勢した解除部26と装着部６表面から出没する係合突起27,27とからなるナトリウム灯１を装着した状態を表した照明装置の図４相当断面図、図９は同ナトリウム灯１を引抜可能にした状態を表した図４相当断面図、図10は装着部６が係合溝28からなるナトリウム灯１を装着した状態を表した照明装置の図４相当断面図であり、図11は同ナトリウム灯１を引抜可能にした状態を表した図４相当断面図である。
【００２５】
装着部６をネジ部23とし、器具本体10の支持部19をネジ受部29とした場合、図５に見られるように、ナトリウム灯１は器具本体10に対して螺合することになる。この螺合による装着は、器具本体10の枠体11内の気密性を高めるほか、ネジ部23の緊締により、高い支持強度を得ることができる。上記例示の場合と異なり、装着部６をネジ部23とした本例のナトリウム灯１は、交換作業に際してナトリウム灯１を軸線中心に回転(ローリング)できるように、把持部８は六角ナット様にしている。このように、抜差しにおいて軸線中心に回転させる場合、電極部５における円環状の正及び負電極３,４は、通電確保に適していることが分かる。器具本体10の気密性を確保するシールリング30は、上記例と同様に装着部６に嵌め、フランジ７により枠体11側面に押し当てるようにしている。
【００２６】
装着部６表面に係止突起24,24を設け、器具本体10の支持部19に対応する係止溝25を設けた場合、図６及び図７に見られるように、係止溝25に部分的に設けた挿入溝31,31から装着部６の係止突起24,24を挿入し、この挿入溝31から係止突起24の位置をずらして係止突起24を係止溝25に係合し、装着を完了する。本例では、装着部６表面から半径方向に180度間隔の係止突起24,24を突設し、円筒状支持部19内面から刻設した円環状係止溝25から半径方向に180度間隔で挿入溝31,31を設けた構成で、ナトリウム灯１は軸線中心に回転して挿入溝31から係止突起24をずらす。上記ネジ部と異なり、挿入溝から係止突起をずらすだけでよいため、把持部８もチャック対応構造でよい。係止突起24が係止溝25を満たす大きさであれば、挿入溝31から係止突起24をずらすだけで十分な支持強度を得る係合も可能であるが、係止溝25内での係止突起24の動きやすさを確保するには、例えば本例のように、係止突起24を抜差方向に押し付ける押圧部32を係止溝25に設けるとよい。また、本例における器具本体10の気密性確保は、支持部19内に位置固定したシールリング30に対して、装着部６を嵌め込む態様で実現している。
【００２７】
ナトリウム灯の装着状態の安定した支持を実現するには、上記各例のほか、交換作業に際して容易に出没する係合突起をナトリウム灯又は器具本体のいずれかに設け、ランプの保持機構を構成する構造が考えられる。まず、ナトリウム灯１に係合突起27,27を設ける場合、図８及び図９に見られるような構成を例示できる。具体的には、装着部６には半径方向内向きに付勢して常態として埋没する係合突起27,27を設け、装着部６から把持部８を通して突出し、引抜方向に付勢したピストン様の解除部26を前後動して、係合突起27,27の出没を制御する。また、支持部19には係合突起27,27に対応した位置に係合溝28を設けている。解除部26は、移動本体33から括れた小径の待避可能部34に、大径円柱の待避防止部35を設けた構成である。この解除部26は引抜方向に付勢しているから、係合突起27,27は待避防止部35に規制され、常態として突出状態にある。
【００２８】
ナトリウム灯１を差込む時は、図９に見られるように、チャック対応構造の把持部８をチャック(図示略)で保持すると共に、解除部26を付勢に対抗して押し込み、待避可能部34によって係合突起27,27を没入させた状態にする。ナトリウム灯１の装着後、今度は解除部26を後退させて前記係合突起27,27の突出状態を維持し、器具本体10の支持部19に設けた係合溝28へ係合突起27,27を嵌入する。この係合突起27の係合溝28への嵌入は、支持部19による装着部６の支持のほか、ナトリウム灯１としての抜け止めも実現している。ナトリウム灯１を引抜く際には、再度解除部26を付勢に対抗して押し込み、待避可能部34によって係合突起27,27を没入させることで、係合突起27,27と係合溝28との係合を解除すればよい。本例における器具本体10の気密性確保は、支持部19内に位置固定したシールリング30に装着部６を嵌め込んで実現している。
【００２９】
ナトリウム灯に係合突起を設ける場合、図10及び図11に見られるような構成を例示できる。具体的には、支持部19には半径方向内向きに出没するボール(係合突起相当)36を設け、支持部19外面となる枠体11側面から突出し、引抜方向に付勢した解除部26を前後動して、ボール36の出没を制御する。また、装着部６にはボール36に対応した位置に係合孔37を設けている。解除部26は、押込枠38に続いてボール36を受ける環状凹面からなる待避可能部34と、待避可能部34に並ぶ環状凸面の待避防止部35とを有している。この解除部26は引抜方向に付勢しているから、ボール36は待避防止部35に規制され、常態は突出状態にある。
【００３０】
ナトリウム灯１を差込む時は、図11に見られるように、チャック対応構造の把持部８にチャック(図示せず)を差込んで保持すると共に、解除部26を付勢に対抗して押し込み、待避可能部34によってボール36を自由状態にする。ナトリウム灯１の装着後、今度は解除部26を枠体11側面から突出させて前記ボール36の突出状態を維持し、装着部６に設けた係合孔37へボール36を嵌入する。このボール36の係合孔37への嵌入は、支持部19による装着部６の支持のほか、ナトリウム灯１としての抜け止めも実現している。ナトリウム灯１を引抜く際は、再度解除部26を付勢に対抗して押し込み、待避可能部34によってボール36を自由状態にすることで、ボール36と係合孔37との係合を解除すればよい。本例における器具本体10の気密性確保は、支持部19内に位置固定したシールリング30に装着部６を嵌め込んで実現している。
【００３１】
本発明は、上記ナトリウム灯以外、例えば一般家庭に見られる蛍光灯にも適用しうる。図12は本発明に基づく直管状蛍光灯(ランプ)39を用いた照明装置の一例を示す斜視図、図13は本発明による着脱型装着部兼把持部40を装着した直管状蛍光灯41を用いた照明装置の一例を示す斜視図、図14は枠体11の対面する側面両方に挿入孔12,12を設けた双方向型照明装置の一例を示す斜視図、図15は本発明に基づく円環状蛍光灯(ランプ)42を用いた照明装置の一例を示す斜視図であり、図16は本発明に基づく別例の直管状蛍光灯(ランプ)43を用いた照明装置の一例を示す斜視図である。
【００３２】
図12に見られる蛍光灯は、従来同様発光部２両端にそれぞれ電極部５,５を配しながら、一方の端には折畳レバー44を設けた把持部８を設けた構成である。器具本体10の枠体11側面の一方に挿入孔12を開口してあり、蛍光灯39は前記挿入孔12から差込み、引き抜く。給電部13は電極部５に対して、支持部19は装着部６に対してそれぞれ一対設けてあり、蛍光灯39の一端を一方から嵌め込み、他端(把持部８側)の装着部６を嵌入状態で支持部19に保持する。折畳レバー44は先端に係合フック45を設けてあり、蛍光灯39の交換作業には把手として取扱うが、蛍光灯39を器具本体10に装着後、隣り合う蛍光灯39,39の把持部８に係合フック45を係合して、蛍光灯39,39相互の拘束を図ることができる。
【００３３】
図13では、蛍光灯41自体は従来同様の構造としながら、一方の電極部５に対して着脱型装着部兼把持部40を取り付け、本発明が目的とする蛍光灯41の抜差交換を可能にしている。器具本体10は、枠体11側面に挿入孔12、支持部19及び蛍光灯41を挿通可能な給電部13が必要になることから従来同様の構造を用いることはできないが、着脱型装着部兼把持部40を用いれば、少なくとも蛍光灯41についての加工を必要とせず、現在出回っている既存の蛍光灯41に本発明を適用できる。着脱型装着部兼把持部40は、電極部５に通電する補助電極部46を有し、この補助電極部46を通じて給電部13との通電を図る。把持部８に設けた折畳レバー44は、上記例と同様の働きを有する。
【００３４】
図14に見られる例は、蛍光灯47は図12例示の蛍光灯39と同様の構成(折畳レバーに代えて摘み部48を有する把持部８を設けた構成)としながら、蛍光灯47を器具本体10へ抜差しする挿入孔 12,12を対面する枠体11側面双方に設けることで、どちらの挿入孔12,12からも交換作業ができるようにしている。ナトリウム灯の場合と異なり、発光部２両端にそれぞれ電極部５,５を有する蛍光灯47では、両端に把持部８,８を設けることができる。これに応じて、枠体11側面の挿入孔12,12それぞれに設ける支持部19,19及び給電部13,13は、どちらも蛍光灯47を挿通可能に、挿入孔12に連通している。
【００３５】
本発明は、ナトリウム灯や直管状蛍光灯のみならず、円環状蛍光灯にも適用しうる。具体的には、図15に見られるように、器具本体10は、円環状蛍光灯42の発光部２外径よりも広幅の挿入孔12を枠体11側面に設け、挿入孔12側には給電部５を兼ねた支持部19を、対面の枠体11側面に補助支持部20を配している。上記ナトリウム灯や直管状蛍光灯の場合と異なり、蛍光灯42の装着によって電極部５、装着部６又は把持部８のみでは挿入孔12が塞がらないので、枠体11内への埃等の侵入を防止するため、本例では開閉可能な蓋49を挿入孔12に設けている。この蓋49は、円環状蛍光灯42の抜差に際して開き、把持部８を構成する把手に対応する切欠50を除いて挿入孔12を塞ぐことができる。
【００３６】
図16に見られる照明装置は、例えば天井面に備え付けた器具本体10に対して下方から蛍光灯43を抜差交換するもので、把持部８を発光部２に設けている。蛍光灯43は、装着部６の係合溝51と凹断面の正電極３を平行に並べ、蛍光灯42上端に残る負電極４を設けている。また、器具本体10には、支持部19を構成する係合片52と給電片53とが半径内向きに付勢して突出し、残る給電端子54が支持部19最奥に設けてある。人が把持部８を手に持って下方から電極部５及び装着部６を支持部19に差込めば、正電極３が給電片53、係合溝51が係合片52それぞれに係合し、残る負電極４が給電端子54に当接し、装着が完了する。把持部８が常に下方に向けて突出しているので、取扱いやすい利点がある。
【００３７】
【発明の効果】
本発明により、把持部を掴んでランプを取り扱えるようになるので、交換作業が容易となり、とりわけランプの自動交換が可能な照明装置を提供できるようになる。装着完了と同時に電極部と給電部とが通電するようにしておけば、ランプ交換終了がランプの保持及び通電性確保を同時に終えるようにすることができる。このように、本発明は、単にランプの交換作業を容易にするばかりではなく、通電性確保の容易化も実現している。
【００３８】
照明装置の構造としては、基本的には本発明に応じた設計変更が必要であるが、例えば着脱型装着部を用いた場合、従来のランプをそのまま用いながら、本発明の交換作業の容易化及び通電性確保の容易化の恩恵を受けることができる。このほか、一般に使用直後のランプは発光部に熱を有しているが、本発明の装着部を用いれば、こうした発光部を触らずに交換作業できる。
【００３９】
なによりも、本発明の効果は、専用装置を用いたランプの自動交換を容易に実現する点にある。この自動交換は、とりわけ高速道路のトンネル内におけるナトリウム灯等、野外の照明装置について、交換作業を大幅に簡素化し、短時間でのランプの交換を可能にする。交換するナトリウム灯の設置位置が高所でもあることから、このように専用装置を用いた自動交換を可能にすることは、作業者の安全性から見ても大変好ましい効果である。
【図面の簡単な説明】
【図１】本発明に基づく例であるナトリウム灯(ランプ)の差込方向から見た斜視図である。
【図２】同ナトリウム灯の引抜方向から見た斜視図である。
【図３】同ナトリウム灯を用いた照明装置の部分破断分解斜視図である。
【図４】ナトリウム灯を装着した状態を表した照明装置の断面図である。
【図５】装着部がネジ部になっているナトリウム灯を装着した状態を表した照明装置の図４相当断面図である。
【図６】装着部が表面から突出する係止突起からなるナトリウム灯を装着した状態を表した照明装置の図４相当断面図である。
【図７】引抜き方向から係止突起及び係止溝の関係を表した背面図である。
【図８】装着部が一方向に付勢した解除部と装着部表面から出没する係合突起とからなるナトリウム灯を装着した状態を表した照明装置の図４相当断面図である。
【図９】同ナトリウム灯を引抜可能にした状態を表した図４相当断面図である。
【図１０】装着部が係合溝からなるナトリウム灯を装着した状態を表した照明装置の図４相当断面図である。
【図１１】同ナトリウム灯を引抜可能にした状態を表した図４相当断面図である。
【図１２】本発明に基づく直管状蛍光灯(ランプ)を用いた照明装置の一例を示す斜視図である。
【図１３】本発明による着脱型装着部兼把持部を装着した直管状蛍光灯を用いた照明装置の一例を示す斜視図である。
【図１４】枠体の対面する側面両方に挿入孔を設けた双方向型照明装置の一例を示す斜視図である。
【図１５】本発明に基づく円環状蛍光灯(ランプ)を用いた照明装置の一例を示す斜視図である。
【図１６】本発明に基づく別例の直管状蛍光灯(ランプ)を用いた照明装置の一例を示す斜視図である。
【符号の説明】
１  ナトリウム灯(ランプ)
２  発光部
３  正電極
４  負電極
５  電極部
６  装着部
８  把持部
10  器具本体
11  枠体
13  給電部
19  支持部
【図１】
0003983497.tif 000002
【図２】
0003983497.tif 000003
【図３】
0003983497.tif 000004
【図４】
0003983497.tif 000005
【図５】
0003983497.tif 000006
【図６】
0003983497.tif 000007
【図７】
0003983497.tif 000008
【図８】
0003983497.tif 000009
【図９】
0003983497.tif 000010
【図１０】
0003983497.tif 000011
【図１１】
0003983497.tif 000012
【図１２】
0003983497.tif 000013
【図１３】
0003983497.tif 000014
【図１４】
0003983497.tif 000015
【図１５】
0003983497.tif 000016
【図１６】
0003983497.tif 000017